(57)【要約】【課題】自動で微量の試料液を精度よく計量し連続的に作用極に付与できる残留塩素濃度測定装置を提供する。【解決手段】残留塩素濃度測定装置１０は、試料液Ｘが付与される作用極と、対極と、作用極と対極との間に介在されたイオン交換膜と、作用極および対極に含浸された電解液とを備え、作用極と対極との間を流れる電流に基づいて試料液Ｘの残留塩素濃度を測定する。測定装置１０は、試料液Ｘが通過する試料通過配管４ａと、試料通過配管４ａを通過する試料液Ｘをエアの押し出しにより作用極に付与する滴下部４０とを備えている。【選択図】図１
0003187624.tif 000002
【実用新案登録請求の範囲】
【請求項１】
試料液が付与される作用極と、対極と、前記作用極と前記対極との間に介在されたイオン交換膜と、前記作用極および前記対極に含浸された電解液と、を備え、
前記作用極と前記対極との間を流れる電流に基づいて前記試料液の残留塩素濃度を測定する残留塩素濃度測定装置であって、
試料液が通過する試料通過配管と、
前記試料通過配管を通過する試料液をガスの押し出しにより前記作用極に付与する付与手段と、を備えている、残留塩素濃度測定装置。
【請求項２】
前記付与手段は、
前記試料通過配管に相互に所定距離離して配設された一対のバルブと、
前記一対のバルブ間で前記試料通過配管に接続された採取用配管と、
前記一対のバルブ間で前記試料通過配管にガスを供給可能なガス供給管と、を備え、
前記一対のバルブを閉じることにより前記一対のバルブ間に試料液を計量すると同時に閉じ込め、前記ガス供給管からガスを供給することにより前記閉じ込めた試料液を前記採取用配管を通して前記作用極に付与するように構成されている、請求項１に記載の残留塩素濃度測定装置。
【請求項３】
前記ガス供給管にガス供給用バルブが配設され、
前記付与手段は、前記ガス供給用バルブを開けることにより前記ガス供給管からガスを供給するように構成されている、請求項２に記載の残留塩素濃度測定装置。
【請求項４】
前記採取用配管の作用極側の端部は、先細り形状である、請求項２または３に記載の残留塩素濃度測定装置。
【請求項５】
バラスト水の残留塩素濃度を測定する測定手段と、
前記測定手段の測定結果に応じて、バラスト水に中和剤を配合する中和剤配合手段と、を備えているバラスト水処理装置であって、
前記測定手段として、請求項１から４のいずれか１項に記載の残留塩素濃度測定装置が用いられている、バラスト水処理装置。
【考案の詳細な説明】
【技術分野】
【０００１】
本考案は、残留塩素濃度測定装置、特に電気化学測定法による残留塩素濃度測定装置およびそれを用いるバラスト水処理装置に関する。
【背景技術】
【０００２】
従来、残留塩素濃度測定装置として、ＤＰＤ法による測定装置が多く用いられてきた。しかし、この測定装置は、発色試薬等のメンテナンスが頻繁に必要であり、妨害物質の存在によって正確に測定できない、５ｍｇ／Ｌ以上の塩素濃度は測定できない、という問題がある。そこで、電気化学測定法による測定装置を用いることが提案される（特許文献１参照）。この測定装置によれば、前記ＤＰＤ法の弊害はなく、精度よく残留塩素濃度を測定できる。
【０００３】
図３に、電気化学測定法による電気分析装置を示す（特許文献２参照）。図３に示すように、この電気分析装置Ａは、下部ケースＢと上部ケースＣとを備えるセルを有する。セルは、対極Ｄと、作用極Ｅと、これらの対極Ｄと作用極Ｅとの間に介在されたイオン交換膜Ｆとを備え、白金線Ｇ，Ｈを通して電流積算計Ｉに接続されている。作用極Ｅおよび対極Ｄに電解液Ｋを入れ、被測定試料物質を含有する試料液を作用極Ｅに滴下し、電池反応を起こして、そのとき流れる電気量を計測することにより、試料液中の被測定試料物質を定量できる。作用極Ｅおよび対極Ｄにカーボンフェルトを挿入することもある。
【先行技術文献】
【特許文献】
【０００４】
【特許文献１】特開平０５−１１３４２４号公報
【特許文献２】特開平０６−３００７３４号公報
【考案の概要】
【考案が解決しようとする課題】
【０００５】
前記電気分析装置Ａを残留塩素濃度測定装置として利用する場合、作用極に滴下する試料液の１回の量は１５〜２００μＬと微量である。そのため、試料液はマイクロピペットを使って作用極に滴下する必要がある。また、用途によっては残留塩素濃度を頻繁に測定する必要がある。そのため、従来は、かかる微量の試料液を精度よく計量し、しかも連続的に滴下するには、人手で作業を行う必要があった。
【０００６】
そこで、本考案は、自動で微量の試料液を精度よく計量し、しかも連続的に作用極に滴下（付与）することができる残留塩素濃度測定装置およびそれを用いるバラスト水処理装置の提供を目的とする。
【課題を解決するための手段】
【０００７】
前記課題を解決するために、本考案は、試料液が付与される作用極と、対極と、前記作用極と前記対極との間に介在されたイオン交換膜と、前記作用極および前記対極に含浸された電解液と、を備え、前記作用極と前記対極との間を流れる電流に基づいて前記試料液の残留塩素濃度を測定する残留塩素濃度測定装置であって、試料液が通過する試料通過配管と、前記試料通過配管を通過する試料液をガスの押し出しにより前記作用極に付与する付与手段と、を備えている。
【０００８】
本考案によれば、電気化学測定法による残留塩素濃度測定装置において、試料通過配管を通過する試料液がガスの押し出しにより作用極に付与されるので、前記試料液はガスの圧力を受けて一気に作用極に押し出され、短時間で作用極に付与される。その結果、自動で微量の試料液を精度よく計量し、しかも連続的に作用極に付与することができる残留塩素濃度測定装置が提供される。そのため、この測定装置を用いることにより、試料液の残留塩素濃度を自動で連続的に長時間でも測定することができる。
【０００９】
本考案においては、前記付与手段は、前記試料通過配管に相互に所定距離離して配設された一対のバルブと、前記一対のバルブ間で前記試料通過配管に接続された採取用配管と、前記一対のバルブ間で前記試料通過配管にガスを供給可能なガス供給管と、を備え、前記一対のバルブを閉じることにより前記一対のバルブ間に試料液を計量すると同時に閉じ込め、前記ガス供給管からガスを供給することにより前記閉じ込めた試料液を前記採取用配管を通して前記作用極に付与するように構成されていることが好ましい。
【００１０】
この構成によれば、試料通過配管に配設された一対のバルブを閉じ、ガス供給管からガスを供給するという簡単な動作で、試料通過配管を通過する試料液をガスの押し出しにより作用極に付与することが、安定、確実にできる。また、前記一対のバルブ間の距離に基づいて試料液の作用極への付与量が設定される。
【００１１】
本考案においては、前記ガス供給管にガス供給用バルブが配設され、前記付与手段は、前記ガス供給用バルブを開けることにより前記ガス供給管からガスを供給するように構成されていることが好ましい。
【００１２】
この構成によれば、ガス供給管に配設されたガス供給用バルブを開けるという簡単な動作で、ガス供給管からガスを供給することが、安定、確実にできる。
【００１３】
本考案においては、前記採取用配管の作用極側の端部は、先細り形状であることが好ましい。
【００１４】
この構成によれば、前記採取用配管の作用極側の端部から吐出する試料液の飛散が抑制されるので、試料液の残留塩素濃度の測定精度を高めることができる。
【００１５】
また、本考案は、バラスト水の残留塩素濃度を測定する測定手段と、前記測定手段の測定結果に応じて、バラスト水に中和剤を配合する中和剤配合手段と、を備えているバラスト水処理装置であって、前記測定手段として、請求項１から４のいずれか１項に記載の残留塩素濃度測定装置が用いられている。
【００１６】
本考案によれば、バラスト水の残留塩素濃度に応じてバラスト水に中和剤を配合するように構成されたバラスト水処理装置において、バラスト水の残留塩素濃度を上述の残留塩素濃度測定装置を用いて測定するので、バラスト水の残留塩素濃度を自動で連続的に長時間でも測定することができる。そのため、バラスト水の処理を長時間でも連続的に行うことができる。
【考案の効果】
【００１７】
本考案は、自動で微量の試料液を精度よく計量し、しかも連続的に作用極に付与することができる残留塩素濃度測定装置を提供するので、バラスト水だけでなく、上水や下水処理の放流水、プールの水、公衆浴場の温水、食品工場でのビンの洗浄液等、残留塩素濃度の管理やモニタリング（監視）一般に広く好ましく適用される。
【図面の簡単な説明】
【００１８】
【図１】本考案の実施形態に係る残留塩素濃度測定装置の全体構成を示す概略断面図である。
【図２】前記残留塩素濃度測定装置を用いたバラスト水処理装置の全体構成を示すブロック図である。
【図３】従来の電気化学測定法による電気分析装置の説明図である。
【考案を実施するための形態】
【００１９】
（１）残留塩素濃度測定装置
まず、図１を参照して、本実施形態に係る残留塩素濃度測定装置１０を説明する。なお、本実施形態で、「上流」、「下流」というときは、そこを通過する流体の流れに関していう。
【００２０】
この残留塩素濃度測定装置（以下単に「測定装置」という）１０は、電気化学測定法によるもので、電解セル１０ａを有している。
【００２１】
測定装置１０は、詳しくは図示しないが、電解セル１０ａ中に、試料液Ｘが滴下される作用極と、対極と、前記作用極と前記対極との間に介在されたイオン交換膜と、前記作用極および前記対極に含浸された電解液と、を備え、前記作用極と前記対極との間を流れる電流に基づいて前記試料液Ｘの残留塩素濃度を測定するように構成されている。
【００２２】
前記作用極および前記対極は、通電可能な材質である炭素繊維で作成されたフェルトと、この炭素繊維フェルトに挿入された白金電極とを含んで構成されている。この構成によれば、フェルトの表面積が見かけの面積よりも大きいので、作用極の表面積および対極の表面積が大きくなる。その結果、作用極で起きる還元反応、および対極で起きる酸化反応が広い面積で起きるので、これらの反応が短時間で終了する。
【００２３】
測定装置１０は、試料液Ｘを作用極に滴下するための滴下部４０を備えている。この滴下部４０は、試料通過配管４ａを通過する試料液Ｘをエアの押し出しにより作用極に滴下するものである。
【００２４】
滴下部４０は、試料通過配管４ａに相互に所定距離離して配設された一対のバルブ、すなわち上流側バルブ４ｂおよび下流側バルブ４ｃを備えている。
【００２５】
前記両バルブ４ｂ，４ｃ間の試料通過配管４ａにおいて、上流側バルブ４ｂに隣接する位置に、エア供給管４２の下流端が接続されている。エア供給管４２の上流端は所定のエア供給源（例えば圧縮エアタンク）４６に接続されている。
【００２６】
前記両バルブ４ｂ，４ｃ間の試料通過配管４ａにおいて、下流側バルブ４ｃに隣接する位置に、採取用配管４３の上流端が接続されている。採取用配管４３の下流端はノズル４１になっている。ノズル４１は、電解セル１０ａの内部に突入し、先端部が作用極の炭素繊維フェルトの近傍まで延びていることが好ましい。
【００２７】
ノズル４１、すなわち採取用配管４３の作用極側の端部は、テーパー状に形成され、先細り形状であることが好ましい。これにより、ノズル４１から吐出する試料液Ｘの飛散が抑制されるので、試料液Ｘはかたまって作用極に滴下され、試料液Ｘの残留塩素濃度の測定精度を高めることができて好ましい。
【００２８】
前記エア供給管４２にエア供給用バルブ４４が配設され、前記採取用配管４３に採取用バルブ４５が配設されている。
【００２９】
以上の各バルブ４ｂ，４ｃ，４４，４５は、それぞれ、開閉することにより、そこを通過する流体の流れを許可または禁止する。
【００３０】
この滴下部４０において、試料液Ｘを作用極に滴下しないときは、図示しない制御盤からの信号により、試料通過配管４ａ上の上流側バルブ４ｂおよび下流側バルブ４ｃが開かれると共に、エア供給管４２上のエア供給用バルブ４４および採取用配管４３上の採取用バルブ４５が閉じられる。エア供給用バルブ４４が閉じられることにより、エア供給源４６からエアが試料通過配管４ａに導入されることがない。また、採取用バルブ４５が閉じられることにより、試料通過配管４ａを流れる試料液Ｘが採取用配管４３に分岐することがない。そして、上流側バルブ４ｂおよび下流側バルブ４ｃが開かれることにより、試料通過配管４ａを流れる試料液Ｘはそのまま試料通過配管４ａを直進する。
【００３１】
一方、この滴下部４０において、試料液Ｘを作用極に滴下するときは、前記制御盤からの信号により、上流側バルブ４ｂおよび下流側バルブ４ｃが閉じられると共に、エア供給用バルブ４４および採取用バルブ４５が開かれる。これにより、試料通過配管４ａを流れる試料液Ｘの一部がエアの押し出しにより作用極に滴下される。より詳しくは、上流側バルブ４ｂおよび下流側バルブ４ｃが閉じられることにより、試料通過配管４ａを流れていた試料液Ｘの一部が前記バルブ４ｂ，４ｃ間に計量されると同時に閉じ込められる。そして、エア供給用バルブ４４が開かれることにより、エア供給源４６からエアが前記バルブ４ｂ，４ｃ間の試料通過配管４ａに上流側バルブ４ｂに隣接する位置から導入される。また、採取用バルブ４５が開かれることにより、前記バルブ４ｂ，４ｃ間に閉じ込められていた所定量の試料液Ｘがエアの圧力を受けて採取用配管４３に押し出され、ノズル４１から作用極に一気に滴下される（これを「ショット」という）。
【００３２】
以上のことから、測定装置１０は、自動で微量の試料液Ｘを精度よく計量し、しかも連続的に作用極に滴下することができる。そのため、この測定装置１０を用いることにより、試料液Ｘの残留塩素濃度を自動で連続的に長時間でも測定することができる。
【００３３】
測定装置１０は、試料通過配管４ａを流れる試料液Ｘの残留塩素濃度を所定の時間間隔で連続的に測定する。そのため、上述のような試料液Ｘの滴下（すなわちショット）が、試料液Ｘが試料通過配管４ａを流れている期間中、前記時間間隔で連続的に自動で行われる。
【００３４】
（２）バラスト水処理装置
次に、図２を参照して、本実施形態に係るバラスト水処理装置１を説明する。
【００３５】
上述のように、本実施形態に係る測定装置１０は、自動で微量の試料液Ｘを精度よく計量し、しかも連続的に作用極に滴下することができる。そのため、この測定装置１０を用いることにより、試料液Ｘの残留塩素濃度を自動で連続的に長時間でも測定することができる。したがって、用途としては、限定されるものではなく、例えば、上水や下水処理の放流水、プールの水、公衆浴場の温水、食品工場でのビンの洗浄液等、各種用途に使用可能であり、残留塩素濃度の管理やモニタリング（監視）一般に広く好ましく適用されるものである。ここでは、一例として、バラスト水処理装置を挙げて説明するが、単なる例示に過ぎないことはいうまでもない。また、図２は、本実施形態に係る前記測定装置１０を用いたバラスト水処理装置の一例を示すが、これもまた例示に過ぎず、これに限定されるものではない。
【００３６】
このバラスト水処理装置（以下単に「処理装置」という）１は、国際航路を運行する船舶（図示せず）に備えられている。船舶から排出されるバラスト水に含まれる生物が環境汚染を引き起こす事例があった。そこでＩＭＯ（国際海事機関）で排出水中の生物数を制限する「バラスト水管理条約」が２００４年に採択された。この条約に適合するにはバラスト水に含まれる生物を殺滅処理することが必要である。そのため紫外線や薬剤を使ったシステムが提案されている。中でも、塩素やオゾンを使って殺滅処理するシステムが多い。この場合、バラスト水の排出に際しては処理水を無毒にすることが必要である。具体的には残留塩素濃度を０．２ｍｇ／Ｌ（０．２ｐｐｍ）以下として排出することが必要である。そのため処理水の残留塩素濃度を常時モニタリング（監視）することが必要である。
【００３７】
本実施形態では、上述の測定装置１０が、前記モニタリングのため、塩素やオゾンを使って生物を殺滅処理したバラスト水を自動でサンプリングし、サンプリングしたバラスト水（すなわち試料液）の残留塩素濃度を自動で連続的に測定するための装置として好適に使用されるものである。
【００３８】
処理装置１は、船外から海水を導入するための導水管２と、船外へバラスト水を排出するための排水管３とを備えている。導水管２および排水管３は、第１循環管４、第２循環管５、および入出管６を介してバラストタンクＢＴに接続されている。
【００３９】
導水管２の下流端と、第１循環管４の上流端と、第２循環管５の下流端とが第１切替バルブ７に接続されている。この第１切替バルブ７は、第２循環管５の下流端を遮断して導水管２の下流端と第１循環管４の上流端とを連通する漲水時流路と、導水管２の下流端を遮断して第２循環管５の下流端と第１循環管４の上流端とを連通する排水時流路とを選択可能に構成されている。
【００４０】
排水管３の上流端と、第１循環管４の下流端と、第２循環管５の上流端と、入出管６の反タンク側端部とが第２切替バルブ８に接続されている。この第２切替バルブ８は、排水管３の上流端および第２循環管５の上流端を遮断して第１循環管４の下流端と入出管６の反タンク側端部とを連通する漲水時流路と、入出管６の反タンク側端部と第２循環管５の上流端とを連通すると共に第１循環管４の下流端と排水管３の上流端とを連通する排水時流路とを選択可能に構成されている。
【００４１】
第１循環管４にケミカルユニットＣＵが備えられている。ケミカルユニットＣＵは、第１循環管４を流れる海水またはバラスト水に含まれる生物を殺滅するための薬剤（例えば次亜塩素酸カルシウム）やバラスト水の残留塩素を中和するための中和剤（例えば亜硫酸ナトリウム）を配合するためのものである（中和剤配合手段）。
【００４２】
ケミカルユニットＣＵの上流で、第１循環管４に、上述の測定装置１０が備えられている。この測定装置１０は、バラスト水が通過する試料通過配管４ａを介して第１循環管４に接続されている。すなわち、試料通過配管４ａは、ケミカルユニットＣＵの上流で、第１循環管４から分岐し再び第１循環管４に合流する細管である。バラスト水の排水時、第１循環管４を通過するバラスト水の一部がこの試料通過配管４ａに流入する。この試料通過配管４ａに流入したバラスト水が前記エアの押し出しによるショットにより電解セル１０ａ中の作用極に滴下されるように上述の測定装置１０が採取用配管４３を介して試料通過配管４ａに接続されている。
【００４３】
バラストタンクＢＴにバラスト水を漲る漲水時（バラスティング時）は、第１切替バルブ７および第２切替バルブ８は漲水時流路を選択する。これにより、船外から導入された海水が、矢印ａ，ｂ，ｃ，ｄの順に、導水管２、第１切替バルブ７、第１循環管４、第２切替バルブ８、および入出管６を経由して、バラストタンクＢＴへ供給される。
【００４４】
この漲水時、ケミカルユニットＣＵにより、第１循環管４を通過する海水に生物を殺滅するための薬剤（例えば次亜塩素酸カルシウム）が配合される。これにより、バラスト水を海洋に排水しても、生態系の撹乱や伝染病の拡散が抑制される。
【００４５】
バラストタンクＢＴからバラスト水を排出する排水時（デバラスティング時）は、第１切替バルブ７および第２切替バルブ８は排水時流路を選択する。これにより、バラストタンクＢＴ内のバラスト水が、矢印ｄ，ｅ，ｃ，ｆの順に、入出管６、第２切替バルブ８、第２循環管５、第１切替バルブ７、第１循環管４、第２切替バルブ８、および排水管３を経由して、船外へ排出される。
【００４６】
この排水時、第１循環管４を通過するバラスト水の一部が試料通過配管４ａに分岐して試料通過配管４ａを流れる。その際、上述したように、測定装置１０の滴下部４０が、試料通過配管４ａを通過するバラスト水をショットするときは、第１循環管４から試料通過配管４ａに分岐したバラスト水の一部がエアの押し出しにより作用極に滴下され、ショットしないときは、第１循環管４から試料通過配管４ａに分岐したバラスト水はそのまま第１循環管４に戻る。
【００４７】
前者の場合、試料通過配管４ａを流れるバラスト水が試料液として所定量（例えば１５〜２００μＬ等の微量）サンプリングされ、測定装置１０に供給され、残留塩素濃度が測定される。その結果、試料液（バラスト水）の残留塩素濃度が所定の基準値（例えば０．２ｐｐｍ）を超えているときは、ケミカルユニットＣＵにより、第１循環管４を通過するバラスト水に残留塩素を中和するための中和剤（例えば亜硫酸ナトリウム）が配合される。これにより、バラスト水の残留塩素濃度が前記基準値以下に抑えられ、バラスト水を海洋に排水しても、海洋汚染が防止される。一方、試料液（バラスト水）の残留塩素濃度が前記基準値以下のときは、バラスト水は、中和剤が配合されることなく、そのまま海洋に排水される。
【００４８】
測定装置１０は、バラスト水の排水時は、上述の制御盤により、バラスト水の残留塩素濃度を所定の時間間隔で連続的に自動で測定するように制御される。つまり、前記ショットが、バラスト水を排水している期間中、前記時間間隔で連続的に自動で行われる。
【００４９】
ここで、所定の時間間隔とは、例えば１．５分〜５分間隔等が好ましい。この間隔が過度に短い場合は、真の数値よりも低い数値を検出してしまう。これは、試料液をフェルトに吐出すると、その部分では電解液が一時的に希釈され濃度が下がってしまうためである。おおよそ１．５分の間隔を空ければ、フェルト内の電解液は拡散して均一濃度となるため正確な測定が可能となる。逆に５分以上の間隔では、測定自体には問題ないが、処理水の残留塩素濃度を常時モニタリング（監視）しているとはいい難い。もちろん、このバラスト水の排水時において残留塩素濃度を連続的に測定する際の時間間隔は、状況に応じて適宜変更しても構わない。
【００５０】
なお、図示しないが、導水管２にフィルタユニットを配設し、このフィルタユニットで、漲水時に、導水管２を通過する海水から比較的大型のプランクトンを除去することも好ましい。大型プランクトンを薬剤で殺滅しなくて済む分、薬剤の配合量が少なくて済むというコストメリットが得られる。
【００５１】
また、排水時に、ケミカルユニットＣＵにより、第１循環管４を通過するバラスト水に中和剤が配合された場合は、ケミカルユニットＣＵの下流において、再度、残留塩素濃度を測定することも好ましい。
【００５２】
（３）作用
以上のように、本実施形態に係る測定装置１０は、試料液Ｘが滴下される作用極と、対極と、前記作用極と前記対極との間に介在されたイオン交換膜と、前記作用極および前記対極に含浸された電解液と、を備え、前記作用極と前記対極との間を流れる電流に基づいて前記試料液Ｘの残留塩素濃度を測定する。
【００５３】
その上で、測定装置１０は、試料液Ｘが通過する試料通過配管４ａと、前記試料通過配管４ａを通過する試料液Ｘをエアの押し出しにより前記作用極に滴下する滴下部４０と、を備えている。
【００５４】
この構成によれば、電気化学測定法による測定装置１０において、試料通過配管４ａを通過する試料液Ｘがエアの押し出しにより作用極に滴下されるので、前記試料液Ｘはエアの圧力を受けて一気に作用極に押し出され、短時間で作用極に滴下される。その結果、自動で微量の試料液Ｘを精度よく計量し、しかも連続的に作用極に滴下することができる測定装置１０が提供される。そのため、この測定装置１０を用いることにより、試料液Ｘの残留塩素濃度を自動で連続的に長時間でも測定することができる。
【００５５】
本実施形態では、前記滴下部４０は、前記試料通過配管４ａに相互に所定距離離して配設された一対のバルブ４ｂ，４ｃと、前記一対のバルブ４ｂ，４ｃ間で前記試料通過配管４ａに接続された採取用配管４３と、前記一対のバルブ４ｂ，４ｃ間で前記試料通過配管４ａにエアを供給可能なエア供給管４２と、を備えている。
【００５６】
その上で、前記滴下部４０は、前記一対のバルブ４ｂ，４ｃを閉じることにより前記試料通過配管４ａ内で前記一対のバルブ４ｂ，４ｃ間に試料液Ｘを計量すると同時に閉じ込め、前記エア供給管４２からエアを供給することにより前記閉じ込めた試料液Ｘを前記採取用配管４３を通して前記作用極に滴下するように構成されている。
【００５７】
この構成によれば、試料通過配管４ａに配設された一対のバルブ４ｂ，４ｃを閉じ、エア供給管４２からエアを供給するという簡単な動作で、試料通過配管４ａを通過する試料液Ｘをガスの押し出しにより作用極に滴下することが安定、確実にできる。また、前記一対のバルブ４ｂ、４ｃの間の距離に基づいて試料液Ｘの作用極への滴下量が設定される。
【００５８】
本実施形態では、前記エア供給管４２にエア供給用バルブ４４が配設され、前記滴下部４０は、前記エア供給用バルブ４４を開けることにより前記エア供給管４２からエアを供給するように構成されている。
【００５９】
この構成によれば、エア供給管４２に配設されたエア供給用バルブ４４を開けるという簡単な動作で、エア供給管４２からエアを供給することが安定、確実にできる。
【００６０】
本実施形態では、前記採取用配管４３の作用極側の端部は、先細り形状である。
【００６１】
この構成によれば、前記採取用配管４３の作用極側の端部から吐出する試料液Ｘの飛散が抑制されるので、試料液Ｘの残留塩素濃度の測定精度を高めることができる。
【００６２】
また、本実施形態に係る処理装置１は、バラスト水の残留塩素濃度を測定する測定手段と、前記測定手段の測定結果に応じて、バラスト水に中和剤を配合するケミカルユニットＣＵと、を備え、前記測定手段として、上述の測定装置１０が用いられている。
【００６３】
この構成によれば、バラスト水の残留塩素濃度に応じてバラスト水に中和剤を配合するように構成された処理装置１において、バラスト水の残留塩素濃度を上述の測定装置１０を用いて測定するので、バラスト水の残留塩素濃度を自動で連続的に長時間でも測定することができる。そのため、バラスト水の処理を長時間でも連続的に行うことができる。
【００６４】
（４）その他
試料液Ｘを電解セル１０ａにショットする際のエアの圧力やショットの時間等は、状況に応じて適宜設定される。
【００６５】
上流側バルブ４ｂと下流側バルブ４ｃとの間の距離、すなわち試料液Ｘの滴下量は、状況に応じて適宜設定される。
【００６６】
前記実施形態では、作用極と対極とを上下方向（縦方向）に並ぶように配置し、試料液Ｘを作用極に滴下（付与）したが、水平方向（横方向）に並ぶように配置してもよい。その場合、試料液Ｘのショット（付与）を作用極に対して水平方向（横方向）から行うようにする。
【００６７】
エアに代えて、窒素ガス、アルゴンガス等を用いてもよい。
【符号の説明】
【００６８】
１      バラスト水処理装置
４ａ    試料通過配管
４ｂ    上流側バルブ（一対のバルブ）
４ｃ    下流側バルブ（一対のバルブ）
１０    残留塩素濃度測定装置（測定手段）
１０ａ  電解セル
４０    滴下部（付与手段）
４１    ノズル（採取用配管の作用極側の端部）
４２    エア供給管（ガス供給管）
４３    採取用配管
４４    エア供給用バルブ（ガス供給用バルブ）
４５    採取用バルブ
ＣＵ    ケミカルユニット（中和剤配合手段）
Ｘ      試料液（バラスト水）
【図１】
0003187624.tif 000003
【図２】
0003187624.tif 000004
【図３】
0003187624.tif 000005